(57)【要約】【課題】各板体の間において、隙間がないように、安定的に結合されるだけでなく、優れた防火や断熱性が得られる軽量セメント板の連結構造を提供する。【解決手段】複数の板体があり、板体に、一体成型である上板体部と下板体部が形成され、板体の周りに、第１の階段面と第２の階段面、第３の階段面及び第４の階段面が形成され、隣の二つの板体同士の間において、第１の階段面と第３の階段面により、互いに、対応して結合し、また、第２の階段面と第４の階段面により、互いに対応して結合する。【選択図】図３Ａ
0003124002.tif 000002
【実用新案登録請求の範囲】
【請求項１】
複数の板体があり、
当該板体に、一体成型である上板体部と下板体部が形成され、当該板体の周りに、第１の階段面と第２の階段面、第３の階段面及び第４の階段面が形成され、隣の二つの板体同士の間において、第１の階段面と第３の階段面により、互いに対応して結合し、また、第２の階段面と第４の階段面により、互いに対応して結合する
ことを特徴とする軽量セメント板の連結構造。
【請求項２】
当該板体の周りに形成された第１の階段面と第２の階段面、第３の階段面及び第４の階段面の幅が同じであることを特徴とする請求項１に記載の軽量セメント板の連結構造。
【請求項３】
当該各板体は、互いに並列接合することができることを特徴とする請求項１に記載の軽量セメント板の連結構造。
【考案の詳細な説明】
【技術分野】
【０００１】
本考案は、軽量セメント板の連結構造に関し、特に、各板体に、一体成型である上板体部と下板体部が形成され、また、当該板体の周りに、第１の階段面と第２の階段面、第３の階段面及び第４の階段面が形成される設計により、組立てが簡単且つ快速で、防火や断熱及び安定的な結合等の効果が得られるものに関する。
【背景技術】
【０００２】
中華民国特許公報公告第３２４４２３号に掲載される「建築板壁の構造」は、図６のように、建築板壁の構造であり、Ｉ形鋼６１と、スペーサー６２と、網シート６３と、連接部品６４と、ずれ止装置６５とが含有され、Ｉ形鋼６１は、その外端面に、適当な数のずれ止装置６５が形成され、スペーサー６２は、垂直的に且つ平行的にＩ形鋼６１の一側に設置され、当該スペーサー６２は、Ｌ文字形状であって、予めに固定ネイルによりＬ型下板を地面や下方のＩ形鋼６１の上に固定され、また、各スペーサー６２の上に、横方向の連接部品６４が位置付けられるための貫通穴が形成され、網シートは、スペーサーの両側を覆うようにロックされることにより、中空な空間を形成し、上記の構成部品により、当該Ｉ形鋼６１の外部に付属される本考案に係わる構造が構成されて、中空の板壁構造が構成され、コンクリートを当該中空板壁の中に一杯に注入することにより、当該風乾成型した後コンクリートで、スペーサー６２と連接部品６４とずれ止装置６５が、一体的な壁体構造に結合される。
【０００３】
既存の従来の建築用板は、主として、石板やセメント板、木板、金属板、プラスチック板或いるガラス繊維板が利用され、直接に、各種類の物件の表面に結合されて、敷設することや物件を装飾することに供され、敷設することや物件の表面を装飾することができるが、各板体が、単一層の板体で、また、各板体同士の間の結合面により隙間が形成されるため、防火や断熱及び安定的な結合等の効果が得られず、実用上は、ユーザーの需要を満足できない。
【特許文献１】中華民国特許公報公告第３２４４２３号
【考案の開示】
【考案が解決しようとする課題】
【０００４】
本考案の主な目的は、各板体に、一体成型である上板体部と下板体部が形成され、また、当該板体の周りに、第１の階段面と第２の階段面、第３の階段面及び第４の階段面が形成される設計により、組立てが簡単且つ快速で、安定的な結合等の効果が得られ、大幅に、全体としての実用性と便利性が向上される軽量セメント板の連結構造を提供する。
【０００５】
本考案の他の目的は、各板体に、一体成型である上板体部と下板体部が形成され、また、当該板体の周りに、第１の階段面と第２の階段面、第３の階段面及び第４の階段面が形成される設計により、優れた防火効果が得られ、大幅に、全体の実用性と安全性が向上される軽量セメント板の連結構造を提供する。
【０００６】
本考案の更に他の目的は、各板体に、一体成型である上板体部と下板体部が形成され、また、当該板体の周りに、第１の階段面と第２の階段面、第３の階段面及び第４の階段面が形成される設計により、優れた断熱効果が得られ、大幅に、全体の実用性と安全性が向上される軽量セメント板の連結構造を提供する。
【課題を解決するための手段】
【０００７】
本考案は、上記の目的を達成するため、複数の板体があり、当該板体に、一体成型である上板体部と下板体部が形成され、当該板体の周りに、第１の階段面と第２の階段面、第３の階段面及び第４の階段面が形成され、隣の二つの板体同士の間において、第１の階段面と他の板体の第３の階段面により、互いに、対応して結合し、第２の階段面と他の板体の第４の階段面により、互いに、対応して結合し、これにより、各板体の間において、隙間がないように、安定的に結合されるだけでなく、優れた防火や断熱性が得られ、全体の実用性や安全性及び便利性が向上される軽量セメント板の連結構造である。
【０００８】
本考案に係わる上記や他の目的と利点は、以下の実施例と図面による詳しく説明することにより、良く分かると思う。
【０００９】
以下、本考案に係わる構造について、より良い実施例と図面を挙げて、詳しく説明する。
【考案を実施するための最良の形態】
【００１０】
本考案は、図１〜２を参照しながら、軽量セメント板の連結構造であり、当該軽量セメント板の連結構造は、複数の板体１０があり、当該板体１０に、一体成型である、切削で上板体部１１と下板体部１２が形成され、当該板体１０の周りに、第１の階段面１３と第２の階段面１４、第３の階段面１５及び第４の階段面１６が形成され、隣の二つの板体１０同士の間において、第１の階段面１３と他の板体１０の第３の階段面１５により、互いに、対応し結合し、また、第２の階段面１４と他の板体１０の第４の階段面１６により、互いに、対応し結合する。上記の構造により、軽量セメント板の連結構造が構成される。
【００１１】
本考案は、図３Ａ〜３Ｂを参照しながら、特徴として、当該板体１０の周りに第１の階段面１３と第２の階段面１４、第３の階段面１５及び第４の階段面１６が形成される設計であり、隣の二つの板体１０同士の間において、第１の階段面１３と他の板体１０の第３の階段面１５により、互いに対応して結合し、また、第２の階段面１４と他の板体１０の第４の階段面１６により、互いに対応して結合し、そのため、各板体１０同士が互いに結合された後、第１の階段面１３と第３の階段面１５の対応した結合面の下方に、下板体部１２が抵当し、また、第２の階段面１４と第４の階段面１６の対応した結合面の下方に、下板体部１２が抵当し、また、当該第１の階段面１３と第３の階段面１５の幅が同一で、当該第２の階段面１４と第４の階段面１６の幅が同一であるが、当該第１の階段面１３と第３の階段面１５の幅と、当該第２の階段面１４と第４の階段面１６の幅とが異なり、これにより、各板体１０同士の間において、隙間がないように、安定的に結合されるだけでなく、優れた防火や断熱効果が得られる。そのため、床を組み立てる場合、例えば、ある面積２の床が組み立てられた後、各板体１０の余った部分２１を切り捨てたら良く、故に、本考案は、組立てが簡単且つ快速で、防火や断熱及び安定的な結合の効果が得られ、全体の実用性や安全性及び便利性が向上される。
【００１２】
図４を参照しながら、使用する時、各板体１０を互いに並列接合することができるだけでなく、重ね合うように設置することもできるから、大幅に、全体の結合強度や防火及び断熱効果が向上される。
【００１３】
図５Ａ〜５Ｃを参照しながら、建物の壁面に応用される時、同じように、各板体１０同士の間において、第１の階段面１３と他の板体１０の第３の階段面（図に未表示）により、互いに対応して結合し、また、第２の階段面１４と他の板体１０の第４の階段面（図に未表示）により、互いに対応して結合し、これにより、各板体１０同士が互いに結合された後、大きい板体１０１が形成され、当該大きい板体１０１を、建物の壁面４のラーメン３の中に入れ込んでから、余った部分４１を切り捨てれば良く、これにより、快速的に建物の壁面４の築造が完成できる。そのため、本考案は、組立てが簡単且つ快速で、防火や断熱及び安定的な結合が実現され、全体の実用性や安全性及び便利性が向上されるものである。
【００１４】
前記の実施例は、床の組み立てや建物の壁面の築造について説明したが、本考案は、各種類に天井、扉、窓、橋梁の板壁装飾面や、各種類の建築桁構の装飾面、軽仕切りシステム、地下室の複合壁、鋼ピラーの防火被覆板、トイレ仕切り板、防火扉の中間層芯板、防音壁の中間層芯板、オフィス仕切りスタンドの中間層芯板、組立て家具の中間層芯板等（図に未表示）に幅広く適用できる。
【００１５】
以上の詳しい説明により、本考案が前記の目的を確実的に達成できることは、本技術を良く分かる熟練者が存知するため、法に従って実用新案登録請求を出願する。
【００１６】
以上は、ただ、本考案のより良い実施例であり、本考案に係わる実用新案登録請求の範囲は、それによって制限されず、また、本考案に係わる実用新案登録請求や明細書内容に従う色々の簡単な等価変更や修正は、全てが本考案に係わる実用新案登録請求の範囲に含まれる。
【図面の簡単な説明】
【００１７】
【図１】本考案の正面立体外観の概念図
【図２】本考案の裏面立体外観の概念図
【図３Ａ】本考案の第１の実施例の使用状態の概念図
【図３Ｂ】本考案の第１の実施例の使用状態の概念図
【図４】本考案の第２の実施例の使用状態の概念図
【図５Ａ】本考案の第３の実施例の組立て状態の概念図
【図５Ｂ】本考案の第３の実施例の切削状態の概念図
【図５Ｃ】本考案の第３の実施例の使用状態の概念図
【図６】従来の立体外観分解の概念図
【符号の説明】
【００１８】
（考案部分）
１０    板体
１０１  大きい板体
１１    上板体部
１２    下板体部
１３    第１の階段面
１４    第２の階段面
１５    第３の階段面
１６    第４の階段面
２    面積
２１    余った部分
３    ラーメン
４    建物の壁面
４１    余った部分
（従来部分）
６１    Ｉ形鋼
６２    スペーサー
６３    網シート
６４    連接部品
６５    ずれ止装置
【図１】
0003124002.tif 000003
【図２】
0003124002.tif 000004
【図３Ａ】
0003124002.tif 000005
【図３Ｂ】
0003124002.tif 000006
【図４】
0003124002.tif 000007
【図５Ａ】
0003124002.tif 000008
【図５Ｂ】
0003124002.tif 000009
【図５Ｃ】
0003124002.tif 000010
【図６】
0003124002.tif 000011